(57)【要約】  【課題】  本発明は、警報設定値および過去使用履歴保存エリアを複数設定できる電子線量計提供することを目的とする。  【解決手段】  放射線を検出する放射線検出部と、時間を計時する計時部と、検出した放射線量や作業時間および検出した放射線量や作業時間に基づいて警報を出力させるための警報設定値を記憶する記憶部と、警報を出力する警報出力部と、前記警報設定値を入力する入力部と、検出した放射線量や作業時間と前記警報設定値とに基づいて前記警報出力部に警報を報知させる制御部とを備え、前記記憶部に値が異なる複数の警報設定値を記憶可能としたものである。【選択図】  図１
2005106630.tif 000002
【特許請求の範囲】
【請求項１】
放射線を検出する放射線検出部と、時間を計時する計時部と、検出した放射線量や作業時間および検出した放射線量や作業時間に基づいて警報を出力させるための基準となる警報設定値を記憶する記憶部と、警報を出力する警報出力部と、前記警報設定値を入力する入力部と、検出した放射線量や作業時間と前記警報設定値とに基づいて前記警報出力部に警報を報知させる制御部とを備え、前記記憶部に値が異なる複数の警報設定値を記憶可能とした電子線量計。
【請求項２】
値が低い警報設定値から順に警報を報知する請求項１記載の電子線量計。
【請求項３】
最も高い値の警報設定値に達したときの報知状態を、他の警報設定値に達したときとの報知状態とは異なる報知状態とした請求項１記載の電子線量計。
【請求項４】
警報出力部が音発生部であり、最も高い値の警報設定値に達したときの音を、他の警報設定値に達したときとの音とは異なる音とした請求項３記載の電子線量計。
【請求項５】
警報出力部が情報表示部であり、最も高い値の警報設定値に達したときの表示色を、他の警報設定値に達したときとの表示色とは異なる表示色とした請求項３記載の電子線量計。
【請求項６】
警報出力部が発光部であり、最も高い値の警報設定値に達したときの発光色を、他の警報設定値に達したときとの発光色とは異なる発光色とした請求項３記載の電子線量計。
【請求項７】
放射線を検出する放射線検出部と、時間を計時する計時部と、測定の開始から終了までの間に検出した放射線量と作業時間とを履歴情報として記憶する記憶部とを備え、前記記憶部に異なる測定期間の複数の履歴情報を記憶可能とした電子線量計。
【請求項８】
放射線を検出する放射線検出部と、時間を計時する計時部と、作業者情報を入力する入力部と、測定の開始から終了までの間に検出した放射線量と作業時間と作業者情報とを履歴情報として記憶する記憶部とを備え、前記記憶部に異なる測定期間の複数の履歴情報を記憶可能とした電子線量計。
【請求項９】
回路部に電源を供給する主電源と、前記主電源が電源を供給していない間に前記回路部に電源を供給する補助電源と、前記主電源の出力を測定する測定部と、前記測定部の測定結果に基づいて前記回路部への電源の供給を前記主電源と前記補助電源とで切り換える切換部とを備えた電子線量計。
【請求項１０】
補助電源は回路部のうち特定の部分にのみ電源を供給する請求項９記載の電子線量計。
【請求項１１】
主電源は１次電池であり、補助電源は２次電池であり、前記主電源により前記補助電源の充電を行う請求項１０または１１記載の電子線量計。
【発明の詳細な説明】
【技術分野】
【０００１】
本発明は、放射線量を測定する電子線量計に関するものである。
【背景技術】
【０００２】
従来の電子線量計は、放射線量と作業時間を測定し、予め設定された警報設定値（放射線量および作業時間）に達したとき、警報を発生させるものである。
【０００３】
近年、電子線量計は、電子化と測定精度の向上が進み、放射線量の測定および測定結果に付加価値が求められている。また、被爆管理システムも導入コストや運用コストを削減する要求がある。
【０００４】
図１０は従来の電子線量計のブロック構成図を示す図である。図１０において、９００は電子線量計であり、９０１は電子線量計９００全体を制御する制御部としてのＣＰＵ、９３０は記憶部であり、９０２は記憶部９３０に設けられており電子線量計９００を制御するためのプログラムを記憶するプログラムエリア、９０３は記憶部９３０に設けられており計測処理におけるデータを恒久的に記憶する不揮発データエリア、９０４は記憶部９３０に設けられており警報設定値（放射線量と作業時間）および計測処理におけるデータを一時的に記憶する揮発データエリアである。９０５は放射線を検出する放射線検出部であり放射線を検出したときパルス信号を出力する。９０６は放射線量や作業時間や操作案内等を表示する表示部、９０７は警告や警報が発生していることを出力する警告・警報出力部でありＬＥＤやブザー等を使用する。９０８は電子線量計９００の電源の入り切りや測定の開始または終了および警報設定値の入力等を行うためのキー入力部、９０９は警報設定値の設定などを行うために外部機器９２０と通信するための通信部、９４０は電子線量計９００の各部に電源を供給する電源部であり、メイン電池９１０および揮発データエリア９０３に電源を供給するバックアップ電池９１１を備えている。９１２は現在の年月日時分秒を出力する時計部である。
【０００５】
また、９２０は、電子線量計９００と通信する外部機器であり、電子線量計９００と通信して電子線量計９００の警報設定値の設定変更や作業者情報の入力などを行う。
【０００６】
図１１は従来の電子線量計の警報設定値の記憶状態を示す図である。
【０００７】
警報設定値は、放射線量と作業時間をそれぞれ１種類のみ設定できる構成となっている。
【０００８】
以上のように構成された電子線量計９００について、その動作を説明する。
【０００９】
従来の電子線量計９００は、プログラムエリア９０２に記憶されているプログラムにより動作を行う。電子線量計９００は、キー入力部９０８による電源オンまたは測定開始からキー入力部９０８による電源オフまたは測定終了までの間、放射線検出部９０５からのパルス信号をカウントすることで放射線量の測定を行い、放射線量を表示部９０６に表示する。電子線量計９００は、キー入力部９０８による電源オンまたは測定開始の時点で時計部９１０の現在年月日時分秒（以下、測定開始年月日時分秒という）を入力し、キー入力部９０８による電源オフまたは測定終了までの間、時計部９１０の現在年月日時分秒と測定開始年月日時分秒との差分をとることで作業時間を算出し、作業時間を表示部９０６に表示する。なお、電子線量計９００は、キー入力部９０８による電源オフまたは測定終了の時点で放射線量と作業時間を揮発データエリア９０４に設けられた図１２に示す前回
使用履歴保存エリアに書き込む。
【００１０】
図１２は従来の電子線量計の前回使用履歴保存エリアの記憶状態を示す図である。
【００１１】
前回使用履歴保存エリアは、放射線量と作業時間をそれぞれ１種類のみ記憶できる構成となっている。
【００１２】
電子線量計９００は、測定中に警報設定値（放射線量と作業時間）と放射線量測定値と作業時間を比較し、放射線量測定値が警報設定値を超過したとき、あるいは作業時間が警報設定値を超過したとき、警告・警報出力部９０７に警告・警報を出力し、使用者に警告・警報を認知させる。
【００１３】
また、電子線量計９００は、メイン電池９１０の電池電圧を監視し、予め設定された電池電圧より低下したとき、警告・警報出力部９０７に警告・警報を出力し、使用者に電池電圧低下を認知させる。
【００１４】
さらに、電子線量計９００は、メイン電池９１０の出力がなくなった場合に、揮発性データエリア９０４を保護するためのバックアップ電池９１１から電源供給を受ける。
【００１５】
電子線量計の運用方法を示す例として、借用した業務従事者のそれぞれの被ばく関連諸情報を時系列的に記録する情報記録部を備えたデータ蓄積型線量計とこの線量計を充電貸出するための線量計充電貸出装置とを備える被ばく管理システムが公開されている（例えば、特許文献１参照）。
【００１６】
また、電子線量計の警告・警報の発生方法を示す例として、放射線量測定値が警報設定値を超過する前に、放射線量測定値の線量率（ｍＳｖ／分）の変動傾向を予測し、さらに今後の放射線量測定値の変化を推測し、予め決められたアラームレベルになったとき、プリアラームを発生させる放射線測定装置が公開されている（例えば、特許文献２）。
【特許文献１】特開２００２−９８７６６号公報
【特許文献２】特開２００２−６０４６号公報
【発明の開示】
【発明が解決しようとする課題】
【００１７】
電子線量計の使用者は、安全教育において、電子線量計の警告・警報を認知したときは直ちに安全な区域に避難するよう教育されている。そして、従来の電子線量計の警報設定値は放射線量と作業時間を１種類のみ設定するものであり、放射線量または作業時間が設定に達して警告・警報が報知されると、使用者は作業が途中であっても作業を中止して安全な区域に非難しなければならず、作業の効率が悪くなってしまうという課題を有していた。
【００１８】
また、電子線量計の使用者は、作業の終了時などに電子線量計内の前回使用履歴保存エリアに記憶されている放射線量と作業時間を読み出して記録紙などに記録して管理を行うが、従来の電子線量計はこの前回使用履歴保存エリアが１個だけであり、使用者が操作を誤って測定開始と終了を繰り返り入力してしまった場合等には前回使用履歴保存エリアに記憶されていた情報が上書きされてしまい、放射線量や作業時間がわからなくなってしまい記録ができなくなってしまうという課題を有していた。
【００１９】
また、従来電子線量計は電源として、各部に電源を供給するメイン電池と、揮発データ
エリアのデータをバックアップするためのバックアップ電池を備えていたが、このバックアップ電池は単に揮発データエリアのデータをバックアップするためのもので、電子線量計の各部に電源を供給するものではなく、従って、メイン電池の電圧が低下して交換が必要となった場合に、メイン電池を交換する場合は放射線の測定が中断されてしまい、測定を中断することなくメイン電池を交換することができないという課題を有していた。
【００２０】
本発明は、警報設定値および前回使用履歴保存エリアを複数設定できる電子線量計提供することを目的とする。
【課題を解決するための手段】
【００２１】
上記課題を解決するために、本発明の電子線量計は、放射線を検出する放射線検出部と、時間を計時する計時部と、検出した放射線量や作業時間および検出した放射線量や作業時間に基づいて警報を出力させるための基準となる警報設定値を記憶する記憶部と、警報を出力する警報出力部と、前記警報設定値を入力する入力部と、検出した放射線量や作業時間と前記警報設定値とに基づいて前記警報出力部に警報を報知させる制御部とを備え、前記記憶部に値が異なる複数の警報設定値を記憶可能としたものである。
【００２２】
また、本発明の電子線量計は、放射線を検出する放射線検出部と、時間を計時する計時部と、測定の開始から終了までの間に検出した放射線量と作業時間とを履歴情報として記憶する記憶部とを備え、前記記憶部に異なる測定期間の複数の履歴情報を記憶可能としたものである。
【００２３】
また、本発明の電子線量計は、放射線を検出する放射線検出部と、時間を計時する計時部と、作業者情報を入力する入力部と、測定の開始から終了までの間に検出した放射線量と作業時間と作業者情報とを履歴情報として記憶する記憶部とを備え、前記記憶部に異なる測定期間の複数の履歴情報を記憶可能としたものである。
【００２４】
また、本発明の電子線量計は、回路部に電源を供給する主電源と、前記主電源が電源を供給していない間に前記回路部に電源を供給する補助電源と、前記主電源の出力を測定する測定部と、前記測定部の測定結果に基づいて前記回路部への電源の供給を前記主電源と前記補助電源とで切り換える切換部とを備えたものである。
【発明の効果】
【００２５】
以上のように、本発明の電子線量計は、警報設定値および前回使用履歴保存エリアを複数設定でき、作業現場の作業時間を有効に使用することができる。
【００２６】
また、使用者が操作を誤った場合でも、前回使用履歴保存エリアの記録が消えることがない。
【発明を実施するための最良の形態】
【００２７】
以下、本発明を実施するための最良の形態について、図１から図９を用いて説明する。
【００２８】
（実施の形態１）
図１は、本発明の電子線量計の構成を示すブロック図である。図１において、１００は電子線量計であり、１０１は電子線量計１００全体を制御する制御部としてのＣＰＵ、１３０は記憶部であり、１０２は記憶部１３０に設けられた電子線量計１００を制御するためのプログラムを記憶するプログラムエリア、１０３は記憶部１３０に設けられた計測処理におけるデータを恒久的に記憶する不揮発データエリア、１０４は記憶部１３０に設けられた警報設定値（放射線量と作業時間）および計測処理におけるデータを一時的に記憶する揮発データエリアである。１０５は放射線を検出する放射線検出部であり、放射線を
検出したときパルス信号を出力する。１０６は放射線量や作業時間や操作案内等を表示する表示部、１０７は警告・警報を出力する警告・警報出力部であり、ＬＥＤやブザー等を使用する。１０８は電子線量計１００の電源の入り切りや測定の開始または終了および警報設定値の入力等を行うためのキー入力部、１０９は警報設定値の設定などを行うために外部機器１２０と通信するための通信部、１４０は電子線量計１００の放射線測定部１０５などの各部に電源を供給する電源部であり、メイン電池１１０および揮発データエリア１０３に電源を供給するバックアップ電池１１１を備えている。１１２は現在の年月日時分秒を出力する時計部である。
【００２９】
また、１２０は電子線量計１００と通信する外部機器であり、電子線量計１００との通信により電子線量計１００の警報設定値の設定変更や作業者情報の入力などを行う。
【００３０】
図２は、本実施の形態の電子線量計の警報設定値の記憶状態を示す概念図である。
【００３１】
電子線量計１００の警報設定値は、放射線量と作業時間をそれぞれ３種類設定できる構成となっており、それぞれ第一の放射線量＜第二の放射線量＜第三の放射線量、第一の作業時間＜第二の作業時間＜第三の作業時間となる値が設定される。
【００３２】
以上のように構成された電子線量計について、その動作を説明する。
【００３３】
本発明の電子線量計１００は、プログラムエリア１０２に記憶されているプログラムにより動作を行う。電子線量計１００は、キー入力部１０８による電源オンまたは測定開始からキー入力部１０８による電源オフまたは測定終了までの間、放射線検出部１０５からのパルス信号をカウントすることで放射線量の測定を行い、表示部１０６に放射線量を表示する。電子線量計１００は、キー入力部１０８による電源オンまたは測定開始の時点で時計部１１０の現在年月日時分秒（以下、測定開始年月日時分秒という）を入力し、キー入力部１０８による電源オフまたは測定終了までの間、時計部１１０の現在年月日時分秒と測定開始年月日時分秒との差分をとることで作業時間を算出し、表示部１０６に作業時間を表示する。なお、電子線量計１００は、キー入力部１０８による電源オフまたは測定終了の時点で放射線量と作業時間を揮発データエリア１０４に設けられた過去使用履歴保存エリアに書き込む。
【００３４】
電子線量計１００は、最初に、測定中に第一の放射線量と放射線量測定値、および第一の作業時間と作業時間を比較し、放射線量測定値が第一の放射線量を超過したとき、あるいは作業時間が第一の作業時間を超過したとき、警告・警報出力部１０７に警告・警報を出力し、使用者に警告・警報を認知させる。次に、電子線量計１００は、超過した警報設定値の上位の警報設定値、具体的には警報設定値の第二の放射線量と第二の作業時間を、警告・警報を発する基準とし、これら判定基準値を現在の測定結果とを比較する。このように、判定基準値を複数設けるようにしたことで、複数回警告・警報を発生させることができので、最終の警告・警報を発する前、すなわち、安全な区域に避難しなけらばならない判定基準である第三の放射線量や第三の作業時間になる前に、現状の放射線量あるいは作業時間がわかるので、途中で急に作業を中断しなければならない状態を回避でき、作業効率の悪化を防ぐことができる。
【００３５】
また、電子線量計１００は、放射線量測定値が最上位の放射線量、すなわち、第三の放射線量を超過したときに出力する警告・警報出力部１０７の出力形態を、例えばブザーであれば音を発生させる時間を長くしたり音の種類変える、あるいはＬＥＤであれば表示色を変える等、最上位の設定になった場合を他の設定とは異なるようにすることで、使用者に最上位の作業時間を超過したことを認知させることができる。同様に、電子線量計１００は、作業時間が最上位の作業時間を超過したときに出力する警告・警報表示部１０７の
出力形態を、例えばブザーであれば音を発生させる時間を長くしたり、あるいはＬＥＤであれば表示色を変えることで、使用者に最上位の作業時間を超過したことを認知させることができる。
【００３６】
なお、本実施の形態では、設定値を３種類として説明したが、２種類でもよいし、４種類以上としてもよく、最大値の種類数は揮発データエリア１０４の容量により決定される。
【００３７】
図３は本実施の形態の電子線量計１００の記憶部１３０の揮発データエリア１０４に設けられた過去使用履歴保存エリアの記憶状態を示す図である。
【００３８】
揮発データエリア１０４に設けられた過去使用履歴保存エリアは、放射線量と作業時間とをそれぞれ３種類保存できる構成となっている。
【００３９】
電子線量計１００は、キー入力部１０８による電源オフまたは測定終了が入力された時点で、放射線量と作業時間を揮発データエリア１０４に設けられた過去使用履歴保存エリアに保存する。なお、この過去使用履歴保存エリアには３つの保存領域があり、１つの保存領域には放射線量と作業時間が保存される。
【００４０】
そして、例えば、1回目の測定が終了した場合には、第１の保存領域に第一の放射線量と第一の作業時間を保存し、次に２回目の測定が終了した場合には第２の保存領域に第ニの放射線量と第ニの作業時間を保存し、次に３回目の測定が終了した場合には第３の保存領域に第三の放射線量と第三の作業時間を保存し、さらに４回目の測定が終了した場合には第１の保存領域に第一の放射線量と第一の作業時間として記憶する。なお、この保存領域の変更はＣＰＵ１０１が行うものであり、ポインタ制御で順番に保存するようにしてもよいし、ＦＩＦＯ方式でシフトさせながら保存するようにしてもよい。
【００４１】
なお、本実施の形態では保存する種類を３種類として説明したが、２種類としてもよいし、４種類以上としてもよく、最大値は揮発データエリア１０４の容量により決定される。
【００４２】
以上説明したように、本実施の形態の電子線量計１００によれば、過去使用履歴保存エリアに履歴を複数記憶できるようにすることにより、使用者が操作を誤った場合、例えば測定の開始と終了を短期間で繰り返り入力してしまった場合等でも、過去使用履歴保存エリアの保存領域数から１を引いた回数の範囲内であれば１つ前の履歴あるいはそれ以上の数の履歴を残すことができる。すなわち、第１の保存領域に第一の放射線量と第一の作業時間が保存されており、この情報を記録紙などに記録して管理を行わなければならない場合、使用者が操作を誤って測定の開始と終了を短期間で２回繰り返り入力してしまっても、この２回の内容は第２および第３の保存領域に入力され第１の保存領域には保存されないので、誤操作２回の範囲内であれば必要な情報を上書きして消してしまうことはなく、記録や管理が可能となる。
【００４３】
（実施の形態２）
図４は、本実施の形態の電子線量計の構成を示すブロック図である。
【００４４】
図５は、本実施の形態の電子線量計の警報設定値の記憶状態を示す概念図である。
【００４５】
図４と図５は、実施の形態１と同じなので説明を省略する。
【００４６】
図６は本実施の形態の電子線量計の過去使用履歴保存エリアの記憶状態を示す概念図で
ある。
【００４７】
実施の形態１と異なるのは、過去使用履歴保存エリアの保存領域に作業者情報も保存するようにした点である。そして、この過去使用履歴保存エリアには３つの保存領域があり、放射線量と作業時間と作業者情報とをそれぞれ３種類保存できる構成となっている。
【００４８】
電子線量計１００は、測定中に通信部１０９により外部機器１２０から作業者情報を受信し、揮発データエリア１０４の当該エリアに書き込む。さらに電子線量計１００は、キー入力部１０８による電源オフまたは測定終了の時点で放射線量と作業時間を揮発データエリア１０４の当該エリアに書き込む。
【００４９】
そして、例えば、1回目の測定については、第１の保存領域に第一の放射線量と第一の作業時間と第一の作業者情報を保存し、次に２回目の測定については、第２の保存領域に第ニの放射線量と第ニの作業時間と第２の作業者情報を保存し、次に３回目の測定については、第３の保存領域に第三の放射線量と第三の作業時間と第三の作業者情報を保存し、さらに４回目の測定については、第１の保存領域に第一の放射線量と第一の作業時間と第一の作業者情報として記憶する。なお、この保存領域の変更はＣＰＵ１０１が行うものであり、ポインタ制御で順番に保存するようにしてもよいし、ＦＩＦＯ方式でシフトさせながら保存するようにしてもよい。
【００５０】
なお、本実施の形態では保存する種類を３種類として説明したが、２種類としてもよいし、４種類以上としてもよく、最大値は揮発データエリア１０４の容量により決定される。
【００５１】
以上説明したように、本実施の形態の電子線量計１００によれば、過去使用履歴保存エリアを履歴を複数記憶できるようにすることにより、使用者が操作を誤った場合、例えば測定の開始と終了を短期間で繰り返り入力してしまった場合等でも、過去使用履歴保存エリアの保存領域数から１を引いた回数の範囲内であれば１つ前の履歴あるいはそれ以上の数の履歴を残すことができ、さらに作業者情報も保存していることで、どの作業者情報の過去使用履歴であるかを特定することができる。
【００５２】
（実施の形態３）
図７は、本実施の形態の電子線量計の構成を示すブロック図である。
【００５３】
なお、図７において実施の形態１と同様の箇所については同一の符号を付して詳細な説明を省略する。
【００５４】
１１３はメイン電池１１０の電圧がある規定値より低下したとき電子線量計１００の後述する特定の部分に電源を供給する電源部であるサブ電池、１１４はメイン電池１１０の電圧を検出しある規定値に依存して電源の供給元を切換える信号を切換スイッチ１１５（図示せず）に出力する電圧検出部である。なお、切換スイッチ１１５については、図８で説明する。
【００５５】
図８は本発明の電子線量計の回路電圧供給の状態を示す図である。
【００５６】
ただし、バックアップ電池１１１は、単に揮発データエリア１０４のバックアップを行うものであり、電子線量計１００内の回路の各部への電圧供給とは無関係なので図８には示していない。
【００５７】
図８において、１１０は電子線量計１００内のＣＰＵ１０１や放射線検出部１０５等の
各部に電源を供給するメイン電池、１１３はメイン電池１１０の電圧がある規定値より低下したとき、電子線量計１００の後述する特定の部分に電源を供給するサブ電池、１１５は電圧検出部１１４の指示により電源の供給元を切換える切換スイッチ、１１４はメイン電池１１０の電圧を検出し電源の供給元を切換える信号を切換スイッチ１１５に出力する電圧検出部である。なお、ＣＰＵ１０１と、プログラムエリア１０２と不揮発データエリア１０３と揮発データエリア１０４とを備えた記憶部１３０と、放射線検出部１０５と、表示部１０６と、キー入力部１０８と、通信部１０９と、時計部１１２と、電圧検出部１１４とは、メイン電池１１０またはサブ電池１１３から電源供給を受ける。ただし、警告警報出力部１０７は、メイン電池１１０のみから電源供給を受ける。
【００５８】
メイン電池１１０の電圧がある規定値より低下したとき、電圧検出部１１４は電源の供給元をメイン電池１１０からサブ電池１１３に切換える信号を切換スイッチ１１５に出力する。切換スイッチ１１５はこの信号に基づいて、電源の供給元をメイン電池１１０からサブ電池１１３に切換える。
【００５９】
メイン電池１１０の電圧がある規定値を越えているとき、電圧検出部１１４は電源の供給元をサブ電池１１３からメイン電池１１０に切換える信号を切換スイッチ１１５に出力する。切換スイッチ１１５はこの信号に基づいて、電源の供給元をサブ電池１１３からメイン電池１１０に切換える。
【００６０】
図９は本発明の電子線量計のメイン電池１１０とサブ電池１１３の切換動作を示す図である。
【００６１】
図９において、縦軸は電圧、横軸は時間を表している。図９に示すメイン電池電圧の曲線はメイン電池１１０の電池電圧値を示し、サブ電池電圧の曲線はサブ電池１１３の電池電圧値を示し、図９の点線で示すように回路供給電圧の曲線は、メイン電池１１０およびサブ電池１１３から回路に供給される電圧値を示し、一点鎖線で示す電池切換電圧レベルの直線は、電源の供給元をメイン電池１１０からサブ電池１１３へまたはサブ電池１１３からメイン電池１１０へ切換える基準となる電圧値を示している。
【００６２】
最初に、メイン電池１１０からサブ電池１１３に電源の供給を切換える動作について説明する。
【００６３】
電子線量計１００は放射線の測定中であり、図９に示す時間軸の旧メイン電池動作期間において、当初メイン電池は満充電でありメイン電池電圧は電池切換電圧レベルより高い電圧である。電圧検出部１１４はメイン電池１１０の電圧が電池切換電圧レベルを越えていることを検出し、電圧検出部１１４は電源の供給元をサブ電池１１３からメイン電池１１０に切換える信号を切換スイッチ１１５に出力する。切換スイッチ１１５はこの信号に従い、電源の供給元をサブ電池１１３からメイン電池１１０に切換える。この動作により、回路供給電圧は、メイン電池１１０の電圧値とほぼ同等の値となる。
【００６４】
電子線量計１００は測定を継続すると、メイン電池が消耗しメイン電池電圧が低下し始める。メイン電池電圧が電池切換電圧レベルより低下したとき、電圧検出部１１４はメイン電池１１０の電圧が電池切換電圧レベルより低下したことを検出し、電源の供給元をメイン電池１１０からサブ電池１１３に切換える信号を切換スイッチ１１５に出力する。切換スイッチ１１５はこの信号に従い、電源の供給元をメイン電池１１０からサブ電池１１３に切換える。この動作により、回路供給電圧はサブ電池１１３の電圧値とほぼ同等の値まで上昇する。その後、電子線量計１００はサブ電池１１３から電源を供給されて測定を継続する（図９に示す時間軸のサブ電池動作期間）。
【００６５】
次にメイン電池１１０を満充電の電池と交換し、電源供給元をサブ電池１１３からメイン電池１１０に切換える動作を説明する。
【００６６】
電子線量計１００がサブ電池１１３からの電源の供給により動作して放射線を測定している間に、メイン電池１１０を満充電の電池と交換することにより、メイン電池電圧は電池切換電圧レベルより高い電圧となる。電圧検出部１１４はメイン電池１１０の電圧が電池切換電圧レベルを越えていることを検出し、電圧検出部１１４は電源の供給元をサブ電池１１３からメイン電池１１０に切換える信号を切換スイッチ１１５に出力する。切換スイッチ１１５はこの信号に従い、電源の供給元をサブ電池１１３からメイン電池１１０に切換える。この動作により、回路供給電圧は、メイン電池１１０の電圧値とほぼ同等の値となる（図９に示す時間軸の新メイン電池動作期間）。
【００６７】
なお、本実施の形態ではメイン電池１１０の電池電圧＞サブ電池１１３の電池電圧としているが、メイン電池１１０の電池電圧＝サブ電池１１３の電池電圧としてもよいし、メイン電池１１０の電池電圧＜サブ電池１１３の電池電圧としてもよい。
【００６８】
以上説明したように、本実施の形態の電子線量計１００によれば、メイン電池１１０が消耗しメイン電池１１０だけでは動作不可能となってします場合でも、サブ電池１１３により電源を供給することで電子線量計１００の動作を継続できる。すなわち、放射線の測定ができる。また、サブ電池１１３により動作している間に消耗してしまったメイン電池１１０を交換すれば、測定を中断することなくメイン電池１１０の交換を継続することができる。また、メイン電池１１０でサブ電池１１３を充電する構成とすれば、サブ電池１１３が消耗することを防ぐことができ、サブ電池１１３による電源の供給と、メイン電池１１０の交換を行うことにより、長期に渡って、中断することなく放射線の測定を継続することができる。
【００６９】
なお、サブ電池１１３が電源を供給する各部の数をメイン電池１１０が電源を供給する各部の数より小さくすることで、サブ電池１１３の動作時間を長くすることができる。
【産業上の利用可能性】
【００７０】
本発明の電子線量計は、警報設定値および過去使用履歴保存エリアを複数設定することができ、作業者の業務効率を向上させるとともに操作誤りにより過去使用履歴が消去されることを防止でき、履歴管理が必要な電子線量計等として産業上有用である。
【図面の簡単な説明】
【００７１】
【図１】実施の形態１における電子線量計の構成を示すブロック図
【図２】実施の形態１における電子線量計の警報設定値の記憶状態を示す概念図
【図３】実施の形態１における電子線量計の過去使用履歴保存エリアの記憶状態を示す概念図
【図４】実施の形態２における電子線量計の構成を示すブロック図
【図５】実施の形態２における電子線量計の警報設定値の記憶状態を示す概念図
【図６】実施の形態２における電子線量計の過去使用履歴保存エリアの記憶状態を示す概念図
【図７】実施の形態２における電子線量計の構成を示すブロック図
【図８】実施の形態２における電子線量計の回路電圧供給の状態を示す図
【図９】実施の形態２における電子線量計のメイン電池とサブ電池の切換動作を示す図
【図１０】従来の電子線量計の構成を示すブロック図
【図１１】従来の電子線量計の警報設定値の記憶状態を示す概念図
【図１２】従来の電子線量計の前回使用履歴保存エリアの記憶状態を示す概念図
【符号の説明】
【００７２】
１００  電子線量計
１０１  ＣＰＵ
１０２  プログラムエリア
１０３  不揮発データエリア
１０４  揮発データエリア
１０５  放射線検出部
１０６  表示部
１０７  警告・警報出力部
１０８  キー入力部
１０９  通信部
１１０  メイン電池
１１１  バックアップ電池
１１２  時計部
１１３  サブ電池
１１４  電圧検出部
１１５  切換スイッチ
１２０  外部機器
１３０  記憶部
１４０  電源部
９００  電子線量計
９０１  ＣＰＵ
９０２  プログラムエリア
９０３  不揮発データエリア
９０４  揮発データエリア
９０５  放射線検出部
９０６  表示部
９０７  警告・警報出力部
９０８  キー入力部
９０９  通信部
９１０  メイン電池
９１１  バックアップ電池
９１２  時計部
９２０  外部機器
９３０  記憶部
９４０  電源部
【図１】
2005106630.tif 000003
【図２】
2005106630.tif 000004
【図３】
2005106630.tif 000005
【図４】
2005106630.tif 000006
【図５】
2005106630.tif 000007
【図６】
2005106630.tif 000008
【図７】
2005106630.tif 000009
【図８】
2005106630.tif 000010
【図９】
2005106630.tif 000011
【図１０】
2005106630.tif 000012
【図１１】
2005106630.tif 000013
【図１２】
2005106630.tif 000014